(57)【特許請求の範囲】
【請求項１】
内側パネル台（１１）と外装パネル（１２）とから構成されるインジケーターパネル（１０）であって、
前記外装パネルは、前記内側パネル台の表面をカバーするように前記内側パネル台と同形状に付形されるとともに、前記内側パネル台に比べて薄質、軽量に形成され、
前記内側パネル台は、光を透過させるための窓孔（１３）が設けられるとともに、前記外装パネルの裏面に絵文字（１４）が施されてなり、
前記絵文字が前記外装パネルの表面から透けて見えるように前記窓孔上に配置され前記内側パネル台と前記外装パネルとが一体に貼り付けられてなることを特徴とするインジケーターパネル。
【請求項２】
前記外装パネルが透明樹脂で構成されてなる請求項１記載のインジケーターパネル。
【請求項３】
前記外装パネルの裏面に加飾印刷（１５）が施されてなる請求項１記載のインジケーターパネル。
【発明の詳細な説明】
【技術分野】
【０００１】
本発明は、自動車等のインジケーターパネルの表面に段差、落ち込みのないフラットな光透過パネル表示並びに加飾方法を提供する。
【背景技術】
【０００２】
自動車等において、インジケーターパネルにシフトレバーが取付けられ、パネル表面にはシフトレバーの位置を示すＰ．Ｒ．Ｎ．Ｄ．２．Ｌ等の絵文字が設けられる。また、パネルの表面はメッキ調、或いは木目調等の加飾が施される。
【０００３】
従来、このようなインジケーターパネルはＡＢＳ樹脂等の硬質樹脂を用いて樹脂成形されるもので、絵文字等の表示部は打抜穴に文字盤を嵌め込んで構成し、このためパネルの表面は、段差や落ち込みが形成されるためフラットなものが得られなかった（特許文献１及び２）。
【０００４】
この従来のインジケーターパネルを図５について説明する。図５（ａ）はインジケーターパネルの斜視図、図５（ｂ）は文字盤の斜視図である。
図５（ａ）において、５０はＡＢＳ樹脂で成形されたパネル体であり、このパネル体の面に長孔５１を設ける。長孔５１に裏側から長孔５１より大きい文字盤５２を嵌め周辺に接着剤を塗布して一体に貼付ける。文字盤５２にＰ．Ｒ．Ｎ．Ｄ．２．Ｌ等の文字が印刷され、内側から光を当てると光が透過して表面に文字が浮かび上がる。５３はシフトレバー（図示しない）の取付用開口である。
【０００５】
しかし、上記した従来のインジケーターパネルでは、Ｐ．Ｒ．Ｎ．Ｄ．２．Ｌ等の絵文字の表示が文字盤を嵌め込んで構成されるため、段差や落ち込みのないフラットなパネルが得られず、このため段差、落ち込み部にリチやホコリが溜り、意匠的外観において体裁が悪いものであった。又パネル板の全表面にメッキ調、木目調等の加飾印刷が施されるが、このような加飾印刷はパネル板表面に直かに施されるため、摩滅して薄くなったり、剥落し而も、製作加工に手間が掛りコスト高になっていた。
【０００６】
【特許文献１】特開２００５−６７２９１号公報
【特許文献２】実公平２−１９２９６号公報
【発明の開示】
【発明が解決しようとする課題】
【０００７】
本発明は、上記に鑑みてなされたものであり、インジケーターパネルを内外２枚のパネル板を用いることによって段差、落ち込みのないフラットなインジケーターパネルを簡単にしかも、コスト的にも安価に提供せんとするものである。
【課題を解決するための手段】
【０００８】
本発明に係るインジケーターパネルは、インジケーターパネル（１０）を、内側のパネル台（１１）とそのパネル台と同形状に付形した外装パネル（１２）とを内側パネルの表面をカバーするように接着剤で一体に貼り付けてなり、内側パネル台（１１）には光が透過する窓孔（１３）が設けられ、外装パネル（１２）の裏面に表面から透けて見えるように絵文字（１４）を施し、絵文字（１４）を内側パネル台（１１）の窓孔（１３）上に配置し内側からの光源でパネル表面上で光るようにし透過してなることを特徴とする。
【０００９】
上記構成により外装パネルはその裏面に施された絵文字が表面に透けて見えるためパネルの表面に段差、落ち込みのないフラットな面を提供することができる。また絵文字を内装パネル台の窓孔上に配置して内側から光源の光を当てると光が窓孔を透して外装パネルの表面で明るく光るためフラットな面に絵文字を鮮明に浮き出すことができる。
【００１０】
また、外装パネル（１２）を透明樹脂で構成することが好ましい。
【００１１】
上記構成において、「透明」とは透けて見えることであるが、着色透明及び半透明を含むものである。外装パネルの裏面に施された絵文字や加飾印刷が表面に透けて見えるものであり、また着色、半透明にすることができる。
【発明を実施するための最良の形態】
【００１２】
（実施例）
図１は本発明に係る自動車用のインジケーターパネルの斜視図であり、図２はその平面図である。図３（ａ）及び（ｂ）は図２Ａ−Ａ線及びＢーＢの断面図である。また図４（ａ）は外装パネルの平面図で、図４（ｂ）は内側パネル台の平面図である。図１及び図２に示すようにインジケーターパネル１０のほぼ中央に縦方向に長い溝孔２０が設けられ、この溝孔にシフトレバー２１が嵌挿され、溝孔に沿ってＰの位置からＬの位置まで移動し且つ各々の位置で停止するように操作される。シフトレバー２１の先端にはノブ２２が取付けられている。
【００１３】
インジケーターパネル１０は、内側のパネル台１１とそのパネル台と同形状に付形した外装パネル１２とを内側のパネル台１１の表面をカバーするように一体に貼り付けて構成される。
【００１４】
パネル台１１は、ＡＢＳ樹脂のような硬質樹脂の成形品として構成し、外装パネル１２の支持台となる。このような内側パネル台１１には光が透過する窓孔１３が設けられる。
【００１５】
外装パネル１２は、ポリカーボネート又は、アクリル樹脂で構成する。このような外装パネル１２は内側パネル台１１に比べ薄質、軽量に形成して内側パネル台の表面をカバーするように接着剤で貼り付けて内外一体となす。この外装パネル１２の裏面にＰ．Ｒ．Ｎ．Ｄ．２．Ｌ等の絵文字１４を施し、表面から透視して見えるようにする。このため、外装パネル１２は透明又は着色、半透明の樹脂で形成する。また、この絵文字１４は内側パネル台１１の窓孔１３上に配置する。
【００１６】
加飾印刷１５は、メッキ調印刷、木目調印刷等を外装パネル１２の裏面に施す。この加飾印刷１５の上から接着剤を塗布して全面が内側パネル台１１の表面に貼付ける。
【００１７】
内側パネル台１１の内面に照明用ランプ２４の光源及びリフレクター２５で反射された光が当ると窓孔１３を透して絵文字１４を下から照らすので、外装パネル１２のフラットな表面にＰ．Ｒ．Ｎ．Ｄ．２．Ｌ等の絵文字がくっきり浮び上がる。
【００１８】
本発明に係るインジケーターパネルは、外装パネルを内側のパネル台に表面の全体がカバーするように接着させて一体となし、外装パネルをポリカーボネート又はアクリル樹脂のような樹脂で薄質軽量に形成して裏面に絵文字、及び加飾印刷を施すことにより表面を段差や落ち込みのないフラットな面に簡単に形成でき、インジケーター表示やパネル表面の加飾を容易に実施することができる。また、外装パネルの裏面にメッキ調、木目調等の加飾印刷が施されるため印刷による加飾対応が容易となる。
【産業上の利用可能性】
【００１９】
本発明に係るインジケーターパネルは、段差や落ち込みのないフラットな光透過パネル表示面並びに塗装、メッキによる加飾を裏面より絵文字、加飾印刷にて容易に対応でき、而もパネルに配置される各種スイッチ座面等の形成を容易に低コストで実施できるため、自動車等に適用すれば産業上の利用可能性は極めて大きい。
【図面の簡単な説明】
【００２０】
【図１】本発明に係るインジケーターパネルにシフトレバーを備えた全体の斜視図である。
【図２】上記インジケーターパネルの平面図である。
【図３】図３（ａ）は図２のＡ−Ａ線の断面図である。            図３（ｂ）は図２のＢ−Ｂ線の断面図である。
【図４】図４（ａ）は本発明インジケーターパネルの外装パネルを示す平面図で、図４（ｂ）は内側パネル台の平面図である。
【図５】図５（ａ）は従来のインジケーターパネルの一例を示す斜視図で、図５（ｂ）はパネルに嵌め込まれる文字盤の斜視図である。
【符号の説明】
【００２１】
１０  インジケーターパネル
１１  内側パネル台
１２  外装パネル
１３  窓孔
１４  絵文字
１５  加飾印刷
【図１】
0004649643.tif 000002
【図２】
0004649643.tif 000003
【図３】
0004649643.tif 000004
【図４】
0004649643.tif 000005
【図５】
0004649643.tif 000006